(57)【要約】      （修正有）【課題】両腋下を冷却することにより効率的に身体を冷却するための保冷材ホルダーを提供する。【解決手段】保冷材ホルダー１０は開閉部を有する袋状部材で形成され、前記袋状部材に保冷材を収納可能である、左右一対のポケット部２１，２２と、前記ポケット部２１，２２に固定され、肩に掛けることにより前記ポケット部２１，２２を両腋下に保持する、リング部２３，２４と、を備え、リング部２３，２４を互いに連結する連結部２５を備える。リング部２３，２４は、前記ポケット部２１，２２と着脱可能であり、開閉可能である。リング部２３，２４および／または前記連結部２５は、長さ調整可能である。【選択図】図１
2019097673.tif 000002
【特許請求の範囲】
【請求項１】
開閉部を有する袋状部材で形成され、前記袋状部材に保冷材を収納可能である、左右一対のポケット部と、
前記ポケット部に固定され、肩に掛けることにより前記ポケット部を両腋下に保持する、リング部と、
を備えることを特徴とする、身体装着用保冷材ホルダー。
【請求項２】
前記リング部を互いに連結する連結部を、さらに備える、請求項１に記載の保冷材ホルダー。
【請求項３】
前記開閉部は、装着時に身体に対して、（１）前面側に鉛直方向、（２）体側中央部に鉛直方向もしくは水平方向、または（３）底面側に水平方向、に開口するように形成されてなる、請求項１または２に記載の保冷材ホルダー。
【請求項４】
前記リング部は、前記ポケット部と着脱可能である、請求項１〜３のいずれか一項に記載の保冷材ホルダー。
【請求項５】
前記リング部は、開閉可能である、請求項１〜４のいずれか一項に記載の保冷材ホルダー。
【請求項６】
前記リング部および／または前記連結部は、長さ調整可能である、請求項１〜５のいずれか一項に記載の保冷材ホルダー。
【請求項７】
前記リング部および／または前記連結部は、伸縮性を有する、請求項１〜６のいずれか一項に記載の保冷材ホルダー。
【請求項８】
前記ポケット部は、７０〜７００ｇ／ｃｍ３の目付の生地から構成される、請求項１〜７のいずれか一項に記載の保冷材ホルダー。
【請求項９】
前記ポケット部は、複数の層状構造を有する、請求項１〜８のいずれか一項に記載の保冷材ホルダー。
【請求項１０】
前記ポケット部は、吸水性を有する、請求項１〜９のいずれか一項に記載の保冷材ホルダー。
【請求項１１】
前記ポケット部の内表面に、撥水性の層を備える、請求項１〜１０のいずれか一項に記載の保冷材ホルダー。
【請求項１２】
前記リング部は、中心が連結部で固定された八の字形状を有する、請求項１〜１１のいずれか一項に記載の保冷材ホルダー。
【請求項１３】
前記連結部に、更にポケット部を備える、請求項１〜１２のいずれか一項に記載の保冷材ホルダー。
【発明の詳細な説明】
【技術分野】
【０００１】
本発明は、夏季あるいは過酷な高温環境下において、両腋下を冷却することにより効率的に身体を冷却することができる、身体装着用保冷材ホルダーに関する。
【背景技術】
【０００２】
ボイラー室や鋳物工場などの過酷な高温環境であって冷房装置の設置が困難な作業空間、または夏の屋外作業場などの高温環境において、熱中症その他の高温環境に起因する体調不良を予防するためには、比較的太い血管やリンパ節のある両腋下を冷却することにより体温を下げることが効果的である。
【０００３】
両腋下を冷却する保冷材収容具としては、例えば、装着時に首の後部から前につり下げられるベルトに保冷材収容袋を連結したものであって、ベルトを首にかけて両端に連結した保冷材収容袋を腋下に挟んで保持するようにするものがある（特許文献１）。
【０００４】
また、保冷材を収納するポケットを備えたベストを着用することによって、身体の冷却を図るものがある（特許文献２）。
【先行技術文献】
【特許文献】
【０００５】
【特許文献１】実用新案登録第３１９５１０７号
【特許文献２】特開２０１１−１６７６号
【発明の概要】
【発明が解決しようとする課題】
【０００６】
しかしながら、特許文献１に記載の発明では、保冷材収容袋が腋下で固定されないため、例えば、装着者が腕や肩を動かした場合などに保冷材が腋から外れることがあり、十分に身体を冷却することができないという問題がある。
【０００７】
また、特許文献２に記載の発明では、着用時に身体に触れる布地の面積が大きいことから、逆に体感としての涼しさを感じにくいという問題がある。さらに、着用者の体型に合わせてベストのサイズを変えなければならず、例えば、小柄な体型の人が平均サイズのベストを着用するとフィット感が阻害されるなどの問題がある。
【課題を解決するための手段】
【０００８】
本発明は、上述した従来技術の課題の解決に向けられたものであり、装着者の自由な動きを妨げることなく、すぐれたフィット感が維持されるように構成されたリング部材と保冷材収容部とを巧妙に組み合わせることにより、腋下の効果的な冷却を実現するものである。
【０００９】
すなわち、本発明に係る身体装着用保冷材ホルダーは、
開閉部を有する袋状部材で形成され、前記袋状部材に保冷材を収納可能である、左右一対のポケット部と、
前記ポケット部に固定され、肩に掛けることにより前記ポケット部を両腋下に保持する、リング部と、
を備えることを特徴とするものである。
【００１０】
本発明の身体装着用保冷材ホルダーの好ましい態様においては、前記リング部を互いに連結する連結部をさらに備えることができる。
【００１１】
本発明の身体装着用保冷材ホルダーの好ましい態様においては、前記開閉部は、装着時に身体に対して（１）前面側に鉛直方向、（２）体側中央部に鉛直方向もしくは水平方向、または（３）底面側に水平方向に開口するように形成されていてもよい。
【００１２】
本発明の身体装着用保冷材ホルダーの好ましい態様においては、前記リング部は、前記ポケット部と着脱可能であることができる。
【００１３】
本発明の身体装着用保冷材ホルダーの好ましい態様においては、前記リング部および／または前記連結部は、長さ調整可能であることができる。
【００１４】
本発明の身体装着用保冷材ホルダーの好ましい態様においては、前記リング部および／または前記連結部は、伸縮性を有していてもよい。
【００１５】
本発明の身体装着用保冷材ホルダーの好ましい態様においては、前記ポケット部は、７０〜７００ｇ／ｍ３、好ましくは２００〜４００ｇ／ｍ３の目付の生地から構成されることができる。
【００１６】
本発明の身体装着用保冷材ホルダーの好ましい態様においては、前記ポケット部は、複数の層状構造を有することができる。
【００１７】
本発明の身体装着用保冷材ホルダーの好ましい態様においては、前記ポケット部は、吸水性を有するものであってもよい。
【００１８】
本発明の身体装着用保冷材ホルダーの好ましい態様においては、前記ポケット部の内表面に、撥水性の層を備えていてもよい。
【００１９】
本発明の身体装着用保冷材ホルダーの好ましい態様においては、前記リング部は、中心が連結部で固定された八の字形状を有することができる。
【発明の効果】
【００２０】
本発明によれば、開閉部を有する袋状部材で形成され、該袋状部材に保冷材を収納可能である左右一対のポケット部と、このポケット部に固定され、肩に掛けることにより前記ポケット部を両腋下に保持するリング部とによって身体装着用保冷材ホルダーが構成されているので、装着者の自由な動きを妨げることなく、身体へのすぐれたフィット感を維持しながら腋下の効果的な冷却が可能となる。
【図面の簡単な説明】
【００２１】
【図１】図１は、本発明の一実施の形態を説明するための図であって、本発明の身体装着用保冷材ホルダーの斜視図である。
【図２】図２は、図１の保冷材ホルダーの上面図である。
【図３】図３（ａ）、図３（ｂ）、および図３（ｃ）は、図１に示された保冷材ホルダーの異なる開閉部の態様を示す斜視図である。
【図４】図４は、図１の保冷材ホルダーの連結部の着脱部を示す概略図である。
【図５】図５は、本発明の別の一実施の形態を説明するための図であって、保冷材ホルダーの斜視図である。
【図６】図６は、本発明のさらに別の一実施の形態を説明するための図であって、保冷材ホルダーの斜視図である。
【図７】図７は、本発明の連結部の好ましい一実施の形態を説明するための図である。
【図８】図８（ａ）、および図８（ｂ）は、本発明の一実施の形態の保冷材ホルダーを装着した例を示す図である。
【発明を実施するための形態】
【００２２】
以下、図面を参照して本発明の一実施形態について説明する。なお、本件明細書に添付する図面においては、図示と理解のしやすさの便宜上、適宜縮尺および縦横の寸法比等を実物のそれらから変更し誇張して表現した場合を含むものであるが、本発明の本質を損なうものではない。
【００２３】
図１〜４は、本発明の一実施の形態を説明するための図である。図１〜４に示すように、保冷材ホルダー１０は、右ポケット部２１、左ポケット部２２、右リング部２３、左リング部２４、および連結部２５を有している。図１に示すように、右ポケット部２１は、その上部で右リング部２３と接合しており、左ポケット部２２は、同様に上部で左リング部２４と接合している。また、右リング部２３と左リング部２４は、背面側で連結部２５により連結されている。左右のポケット部は、それぞれ袋状構造を有しており、その内部に保冷材を収容することができる。このような保冷材ホルダー１０を用いることで、保冷材を腋下に保持することができる。保冷材ホルダー１０は、例えば、夏場の屋外や、工場等において、利用される。
【００２４】
とりわけここで説明する保冷材ホルダー１０には、詳しくは後述するように、保冷材を腋下に保持し、身体の冷却効率および装着感を改善するための工夫がなされている。したがって、保冷材ホルダー１０は、装着者の動きによって保冷材のフィット感が損なわれないようにすることで、装着者の身体の冷却を効率的に行い、熱中症等の体調不良を予防ないし防止することができる。
【００２５】
以下、各構成要素について、順に説明していく。
【００２６】
まず、ポケット部２１、２２について説明する。前述のように、ポケット部は左右の対になっている。図３に示すように、ポケット部２１、および２２は、開閉部を有する袋状部材で形成され、該袋状部材に保冷材を収容することができる。図示された例において、好ましい態様において、図３（ａ）〜（ｃ）に示すように、開閉部を装着時に、（ａ）前面側に鉛直方向に（開閉部３０、３１）、（ｂ）体側中央部に鉛直方向もしくは水平方向に（開閉部３２、３３、もしくは開閉部３２’、３３’）、または（ｃ）底面側に水平方向に（開閉部３４、３５）、開口するように形成される。このような形態で開閉部を備えることにより、保冷材ホルダーを装着したまま保冷材を取り替えることができる。装着したまま保冷材を取り替えることができるようにすることによって、例えば、夏場の屋外で長時間にわたって作業を行うような場合、予め冷却しておいた予備の保冷材と交換することにより、作業を中断することなく、継続的に身体を冷却することができる。
【００２７】
また、ポケット部２１、２２は、吸水性のある生地で作成されることが好ましい。吸水性の生地とすることで、結露を防止することができ、使用感が向上し、保冷材の持続時間を改善することができる。そのような生地としては、これらに限定されるものではないが、厚みが０．５〜２．０ｍｍ程度の生地が好ましい。また、ポケット部２１、２２は、複数枚の生地から形成される層形状としてもよく、更に、ポケット部２１、２２の内表面に、撥水性の層を備えることもできる。保冷材の持続時間の改善や、過度の冷却を防ぐこと、結露を防止すること等の理由から、ポケット部の素材は、メッシュ生地でない方が好ましい。
【００２８】
ポケット部の形状およびサイズは、汎用の保冷材が収納できるサイズであれば特に限定されないが、１辺５〜２０ｃｍ程度が好ましい。また、形状は直方体が好ましいが、角部は直角である必要はなく、丸みを帯びたり、切り落とされていたりしてもよく、保冷材をずれないように収容することができればよい。このような範囲の寸法および形状とすることにより、装着時のフィット感を向上させながら、所望の冷却効果を奏することができる。
【００２９】
本発明において、用いる保冷材は汎用の任意の保冷材を用いることができる。本発明において、保冷材は好ましくは扁平状のものが好ましく、そのようにすることにより、腋下に挟んだ場合の装着者の違和感が生じ難い。保冷材のサイズや形状は、ポケット部の形状によって適宜変更することができる。このような保冷材は、使用後に再び凍結させることにより繰り返し再生利用することが可能である。例えば、複数の保冷材を用意し、予め予備の保冷材を冷凍しておくことにより、保冷材を取り替えることによって長時間にわたって冷却効果を維持することができる。
【００３０】
ここで、冷却効果とは、装着者の体温を所定期間、所定温度以上冷やすことができるように維持することを意味し、急激に冷やしすぎて使用者に不快感を与えたり、保持時間が短くなりすぎたりせず、または、冷却効果が感じられない場合などが生じない程度の、身体の冷却効果をいう。冷却効果は、上述したように、ポケット部の生地の厚さや、構成する層の生地の枚数を変更することによって、調整することができる。また、撥水層を備えることにより、さらに冷却効果の持続時間を延長することができる。
【００３１】
次に、リング部２３、２４について説明する。図１および２に示すように、リング部は、左右の対となっており、ポケット部２１、２２にそれぞれ接合されている。図示されるように、リング部２３および２４は、環状構造となっており、該環状部に腕を通すことができる。リング部２３に右腕を、リング部２４に左腕を通して、それぞれ右肩および左肩に掛けることにより、リング部に接合されたポケット部２１および２２は、装着者の右腋下および左腋下に保持される。
【００３２】
リング部の長さおよび太さは、装着者の動きを妨げず、且つ保冷材を所望の位置に保持できるようなフィット感を実現することができるように、装着者の体型等に応じて、適宜好ましいサイズとすることができる。また、リング部の長さは調整可能とすることができ、例えば、アジャスターを用いたり、伸縮素材を用いることによって、長さの調整をすることができる。そのように、長さ調整することにより、装着者の体格を選ばず、フィット感を改善することができる。さらに、リング部の内側に滑り止めを付けても良い。サイズ調整可能であることに加えて、滑り止めを付けることにより、リング部のフィット感を更に向上させることができ、装着者の動きを妨げない。また、リング部は、例えば、メッシュ生地のような通気性の良い素材とすることがきる。通気性素材とすることに加えて、身体を覆う面積を極力小さくすることができることから、着用時において、布地面積の広いベスト等と比べて、涼しさの体感をいっそう向上させることができる点においても有利である。
【００３３】
一態様において、リング部２３、２４は環状構造であるが、該環は、図４に示すように、例えば、マジックテープ、フック、釦、クリップなどの任意の接合部材からなる接続部４０および４１により、着脱可能に形成されていてもよい。このように、ポケット部とリング部とを着脱可能に構成することにより、保冷材を収容したポケット部ごと、新しい保冷材と交換することができる。また、このようにリング部を開閉可能にすることによって、リング部に腕を通さなくても保冷材ホルダーの着脱が可能になる点においても優れている。別の一態様において、リング部２３、２４は、ポケット部２１、２２に摺動可能に接合されていてもよい。例えば、図４に示すように、ポケット部２１、２２の上部に筒状構造を形成し、そこにリング部を通すことにより、摺動可能とすることができる。リング部とポケット部とを摺動可能にすることによって、装着者の体格や服装に合わせて、ポケット部の位置を微調整することができる。
【００３４】
次に、連結部２５について説明する。図１〜３に示すように、連結部２５は、リング部２３および２４を装着者の背面側で連結している。リング部２３および２４を連結することにより、肩からリング部がずり落ちにくくなり、フィット感が向上し、保冷材を腋下に保持することができる。また、連結部２５は、図７に示すように、装着時に背面中央辺りよりもやや上に水平方向に延在することにより、肌着や衣服などの上から装着することとなるため、装着者の肌に直に接することがなく、擦れによる肌への負荷を軽減することができる。連結部２５は、特に、肩甲骨よりもやや首よりに延在することにより、より保冷材を所望の位置に安定させることができることから好ましい。
【００３５】
連結部２５の長さは、装着者の動きを妨げず、且つ保冷材を所望の位置に保持できるようなフィット感を実現することができるように、装着者の体型等に応じて、適宜好ましいサイズとすることができる。さらに、連結部２５は、長さ調整可能とすることができ、例えば、アジャスターを用いたり、伸縮素材を用いて長さを調整することができる（図示せず）。そのように、長さ調整することにより、装着者の体格を選ばず、フィット感を改善することができ、保冷材を収容するポケット部を腋下の所定の位置に保持することができる。連結部２５の長さは、例えば、装着者の背中よりも短くすることによって張力が生じ、リング部およびポケット部を所定の位置に保持することができる。また、伸縮素材として円筒状のゴム紐を用いれば、ベルトの縒れによる、装着時の不快感を防止することができる。
【００３６】
また、別の一態様において、図７に示すように、連結部２５に保冷材を収納するポケット部３６を更に備えていてもよい。連結部２５に更に保冷材を備えることにより、両腋下に加えて背面部分を冷却することができることから、より効率的に装着者の身体を冷却することができる。連結部２５にポケット部３６を備える場合、連結部２５の伸縮性を阻害しないようにポケット部３６を取り付けることが好ましい。例えば、連結部２５からループ３７でポケット部を吊るすことにより、連結部２５の伸縮性を損なうことなく、ポケット部３６を取り付けることができる。
【００３７】
更に別の一態様において、背面側の連結部２５に加えて、装着者の前面側に、リング部２３と２４とを連結する連結部を備えていてもよい（図示せず）。このように前面側にも連結部を備えることにより、装着時のフィット感をより向上することができる。前面側の連結部は、背面側の連結部２５と同様、装着者の動きを妨げず、且つ保冷材を所望の位置に保持できるように、装着者の体型等に応じて、適宜好ましいサイズとすることができる。また、伸縮素材を用いることによりフィット感を向上させることができ、そのような伸縮素材としては、例えば、円筒状のゴム紐を用いることが好ましい。
【００３８】
上記のような一実施態様において、図８に示すように、本発明の保冷材ホルダー１０を装着することができる。図示されるように、右リング部２３を右腕に通して右肩に掛け、左リング部２４を左腕に通して左肩に掛けることにより、右ポケット部２１は右腋下、左ポケット部２２は左腋下の所定の位置にそれぞれ保持することができる。また、装着時に背面側で背中の中央辺りよりも上に水平方向に右リング部２３および左リング部２４を連結するように、連結部２５を配置することにより、装着者が動いた場合であっても、肩からリング部がずれ落ちることなく、腋下の所定の位置にポケット部を保持することができる。このとき、首付近ではなく、肩甲骨よりもやや首よりに、連結部２５を延在させることにより、保冷材を所望の位置に安定させながら、連結部が直接肌に触れて擦れることがなく、装着時の負担を感じにくい。このように、本発明の保冷材ホルダー１０は、装着者の動きを妨げることなく、保冷材を収容したポケット部を腋下の所定の位置に保持し、身体を効率的に冷却することが可能である。
【００３９】
以上のように、本発明の保冷材ホルダーは、衣服の下に装着するため見た目が悪くならず、リング部および連結部によりしっかりと固定されるため動作の妨げにならず、且つ簡易な構造であるために布地の面積が少なく涼しさを確保することができるのみならず、収納や携帯にスペースを要さず、洗濯などのメンテナンスも容易であるという優れた効果を有する。
【００４０】
なお、上述した一実施の形態において種々の変更が可能である。
【００４１】
上述した具体例において、リング部２３、２４と連結部２５とを背面側で連結する例を示したが、これに限られない。例えば、図５に示すように、リング部２６をたすき掛け状に八の字に形成し、中央部でリング部を固定するようにして連結部２７と一体化して形成することができる。また、図６に示すように、リング部２８の背面中央部を鉛直方向に連結部２９で接合するように形成することができる。いずれの態様においても、リング部の素材を伸縮性素材にすることにより、フィット感を向上することができる。
【００４２】
以上において、一実施の形態を複数の具体例により説明してきたが、これらの具体例が一実施の形態を限定することを意図していない。上述した一実施の形態は、その他の様々な具体例で実施されることが可能であり、その要旨を逸脱しない範囲で、種々の省略、置き換え、変更を行うことができる。
【符号の説明】
【００４３】
１０    保冷材ホルダー
２１    右ポケット部
２２    左ポケット部
２３    右リング部
２４    左リング部
２５    連結部
２６    リング部
２７    連結部
２８    リング部
２９    連結部
３０    右開閉部
３１    左開閉部
３２    右開閉部
３３    左開閉部
３２’  右開閉部
３３’  左開閉部
３４    右開閉部
３５    左開閉部
３６    ポケット部
３７    ループ部材
４０    接続部
４１    接続部
【図１】
2019097673.tif 000003
【図２】
2019097673.tif 000004
【図３】
2019097673.tif 000005
【図４】
2019097673.tif 000006
【図５】
2019097673.tif 000007
【図６】
2019097673.tif 000008
【図７】
2019097673.tif 000009
【図８】
2019097673.tif 000010
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
開閉部を有する袋状部材で形成され、前記袋状部材に保冷材を収納可能である、左右一対のポケット部と、
前記ポケット部に固定され、肩に掛けることにより前記ポケット部を両腋下に保持する、リング部と、
を備え、
前記ポケット部は、上部に形成された筒状構造を有し、
前記筒状構造へ前記リング部を通すことにより、前記ポケット部と前記リング部とが摺動可能に係合され、
前記開閉部は、装着時に身体に対して、（１）前面側に鉛直方向、（２）体側中央部に鉛直方向もしくは水平方向、または（３）底面側に水平方向、に開口するように形成されてなることを特徴とする、身体装着用保冷材ホルダー。
【請求項２】
前記リング部を互いに連結する連結部を、さらに備える、請求項１に記載の保冷材ホルダー。
【請求項３】
前記リング部は、前記ポケット部と着脱可能である、請求項１または２に記載の保冷材ホルダー。
【請求項４】
前記リング部は、開閉可能である、請求項１〜３のいずれか一項に記載の保冷材ホルダー。
【請求項５】
前記リング部および／または前記連結部は、長さ調整可能である、請求項１〜４のいずれか一項に記載の保冷材ホルダー。
【請求項６】
前記リング部および／または前記連結部は、伸縮性を有する、請求項１〜５のいずれか一項に記載の保冷材ホルダー。
【請求項７】
前記ポケット部は、７０〜７００ｇ／ｃｍ３の目付の生地から構成される、請求項１〜６のいずれか一項に記載の保冷材ホルダー。
【請求項８】
前記ポケット部は、複数の層状構造を有する、請求項１〜７のいずれか一項に記載の保冷材ホルダー。
【請求項９】
前記ポケット部は、吸水性を有する、請求項１〜８のいずれか一項に記載の保冷材ホルダー。
【請求項１０】
前記ポケット部の内表面に、撥水性の層を備える、請求項１〜９のいずれか一項に記載の保冷材ホルダー。
【請求項１１】
前記リング部は、中心が連結部で固定された八の字形状を有する、請求項１〜１０のいずれか一項に記載の保冷材ホルダー。
【請求項１２】
前記連結部に、更にポケット部を備える、請求項１〜１１のいずれか一項に記載の保冷材ホルダー。